(57)【要約】【課題】本体部に対する昇降ボルトの軸振れの発生の発生を防止し、レベリングや芯出し等を正確に行うことができる小型ジャッキを提供する。【解決手段】本発明の小型ジャッキは、ねじ部７の上端にヘッド１４を備え、ねじ部７とヘッド１４との間にスパナ掛け（回動係止部）１１を備えた昇降ボルト２と、上記ねじ部７を螺合するねじ孔３を備えたジャッキの本体部１により構成されている。そして上記ねじ部７の上端側に少なくともねじ部７の外径以上の径を有する円形断面からなる嵌合軸部９を形成し、上記本体部１のねじ孔３の上端側には、前記嵌合軸部９を回転摺動可能に嵌合する嵌合孔４を形成している。また上面にには本体部１の下端を一定の深さまで挿脱可能に嵌合する挿入孔１８を形成した台座１９を設け、ヘッド１４の上端は本体部１の底面と平行な平面からなる端面を形成する。【選択図】          図１
2004155524.tif 000002
【特許請求の範囲】
【請求項１】
ねじ部（７）の上端にヘッド（１４）を備え、ねじ部（７）とヘッド（１４）との間に回動係止部（１１）を備えた昇降ボルト（２）と、上記ねじ部（７）を螺合するねじ孔（３）を備えたジャッキの本体部（１）とからなる小型ジャッキにおいて、上記ねじ部（７）の上端側に少なくともねじ部（７）の外径以上の径を有する円形断面からなる嵌合軸部（９）を形成し、上記本体部（１）のねじ孔（３）の上端側には、前記嵌合軸部（９）を回転摺動可能に嵌合する嵌合孔（４）を形成してなる小型ジャッキ。
【請求項２】
上面に本体部（１）の下端を一定の深さまで挿脱可能に嵌合する挿入孔（１８）を形成した台座（１９）を設けてなる請求項１の小型ジャッキ。
【請求項３】
ヘッド（１４）の上端が本体部（１）の底面と平行な平面からなる端面を形成した請求項１又は２の小型ジャッキ。
【請求項４】
ヘッド（１４）の上端の昇降ボルト（２）の軸心位置にガイド孔（１６）を穿設し、下部中心に上記ガイド孔（１６）に挿脱可能に挿入されるガイドピン（１７ｂ）を備え、上端部中心が支持対象物と点接触し、下端面がヘッド（１４）の上端面と接触するアタッチメント（１７）を設けてなる請求項３の小型ジャッキ。
【請求項５】
ガイド孔（１６）が昇降ボルト（２）の上端より下端に貫通した請求項４の小型ジャッキ。
【請求項６】
台座（１９）の挿通孔（１８）内に台座（１９）の底面側に貫通する気抜孔（２１）を設けてなる請求項２，３，４又は５の小型ジャッキ。
【発明の詳細な説明】
【０００１】
【発明の属する技術分野】
この発明は各種の据付機械類や機械加工品等の対象物のレベリング，芯出し等に際して用いる小型ジャッキに関する。
【０００２】
【従来の技術】
従来、機械類の据付や機械加工品等のレベリング又は芯出し作業に際して用いる一般に豆ジャッキ等と称されるねじ式の小型ジャッキが古くから知られている。
この小型ジャッキは先端が円錐形のヘッド付の昇降ボルトと、昇降ボルトの下端を螺合し昇降ボルトを回転することによって昇降させるジャッキ本体とで構成されている。
【０００３】
【発明が解決しようとする課題】
しかし、従来の上記小型ジャッキは、常に支持対象物の重量負荷を受けた状態で回転操作される昇降ボルトと本体部側のねじ部の極端な摩耗が避けられない。このため昇降ボルト上に支持される対象物が、ねじ部のぐらつきによって不安定であるという欠点がある。
また従来の小型ジャッキのヘッド部は一般に円錐形の上端を形成しているものが多いために、例えば支持対象物の下面がＶ字型や円錐形状の山形を形成している場合は、別途ヘッド上端が水平面をなすものを用意する必要があった。
さらに小型ジャッキまでの高さが限られているため、ジャッキの高さが不足する場合は、ジャッキ本体と底盤等の載置面との間に寸法調整用のブロックを介挿して使用している。このためジャッキによる支持が不安定であり、使用場所や支持対象物の形状等によっては、ジャッキ操作中の支持外れ等の危険を伴うという問題があった。
【０００４】
【課題を解決するための手段】
この発明は、上記のような問題点を解決する小型ジャッキを提供せんとするもので、第１に、ねじ部７の上端にヘッド１４を備え、ねじ部７とヘッド１４との間に回動係止部１１を備えた昇降ボルト２と、上記ねじ部７を螺合するねじ孔３を備えたジャッキの本体部１とからなる小型ジャッキにおいて、上記ねじ部７の上端側に少なくともねじ部７の外径以上の径を有する円形断面からなる嵌合軸部９を形成し、上記本体部１のねじ孔３の上端側には、前記嵌合軸部９を回転摺動可能に嵌合する嵌合孔４を形成してなることを特徴としている。
【０００５】
第２に、上面に本体部１の下端を一定の深さまで挿脱可能に嵌合する挿入孔１８を形成した台座１９を設けてなることを特徴としている。
【０００６】
第３に、ヘッド１４の上端が本体部１の底面と平行な平面からなることを特徴としている。
【０００７】
第４に、ヘッド１４の上端の昇降ボルト２の軸心位置にガイド孔１６を穿設し、下部中心に上記ガイド孔１６に挿脱可能に挿入されるガイドピン１７ｂを備え、上端部中心が支持対象物と点接触し、下端面がヘッド１４の上端面と接触するアタッチメント１７を設けてなることを特徴としている。
【０００８】
第５に、ガイド孔１６が昇降ボルト２の上端より下端に貫通したことを特徴としている。
【０００９】
第６に、台座１９の挿通孔１８内に台座１９の底面側に貫通する気抜孔２１を設けてなることを特徴としている。
【００１０】
【発明の実施の形態】
図１，図２はこの発明の小型ジャッキの全体構成を示す斜視図と断面図で、この例ではジャッキはスリーブ状又は円形筒状の本体部１と該本体部１にねじ込まれる昇降ボルト２とを備えている。
【００１１】
本体部中心位置にはねじ孔３が上下に貫通して設けられ、該ねじ孔３の上端側には十分なねじ山を残して、ねじ孔３のねじの外径以上の径を備えた嵌合孔４が形成されている。また本体部１の外周下方には平行な面からなるスパナ掛け６が凹設形成されている。このスパナ掛け６は本体部１の周壁に係止孔（図示しない）を穿設したものでもよい。
【００１２】
昇降ボルト２は上記ねじ孔３と螺合するねじ部７を下半部に備え該ねじ部７の上端側には、ねじ山の谷径と略一致する軸部８を介してねじ山の山径以上の外径を有する円形の嵌合軸部９が形成されている。そしてこの嵌合軸部９は、ねじ部７がねじ孔３に所定深さねじ込まれた時に、嵌合孔４に対して回転摺動可能に嵌合し、螺合した状態での本体部１に対する昇降ボルト２の軸心の狂いを防止する。
【００１３】
上記嵌合軸部９の上端面には、外周面が９０°毎に平面切削されてなるスパナ掛け（回動係止部）１１が形成されたフランジ部１２が設けられ、このフランジ部１２の下面は、ねじ部７が最深部迄ねじ込まれた際に本体部１の上面に挿接される。
【００１４】
さらに上記フランジ部１２の上部軸芯上には、把持用の首軸１３とヘッド１４とが順次設けられ、この例ではヘッド１４の上端は軸芯と直角な平面に形成されている。そしてヘッド１４の上面中心にはボルト全体を貫くガイド孔１６が穿設されている。
【００１５】
１７は上端が円錐形のアタッチメントヘッド１７ａを形成し、その下面中心に前記ガイド孔１６に挿脱可能に嵌合するガイドピン１７ｂを下向きに突設したアタッチメントで、ガイドピン１７ｂを差込んだ状態でアタッチメントヘッド１７ａの下面はヘッド１４の上端面に挿接される。
【００１６】
アタッチメントヘッド１７ａの上端はジャッキ使用時には支持対象物を点接触によって支持し、且つそれ自体の回動を許容する状態で支持する。アタッチメントヘッド１７ａの上端をＶブロック状に形成して棒状断面のもの等を支持させることもできるが、その場合は昇降ボルト２自体を回転させないで本体部１を回転させて高さ調節を行う。
【００１７】
また図１〜図２に示すように、上面中心に本体部１の下端を一定深さ挿脱可能に嵌合する挿入孔１８を設けた高さ調節用又は安定性補強用の皿状の台座１９が設けられている。そして本体部１のねじ孔３の周壁のスパナ掛け６部分と挿入孔１８の底部には、図１，図２に示すように本体部１を挿脱する際の気抜孔２０，２１がそれぞれ設けられており、台座底面には上記気抜孔２１を外周側と連通させるための通気孔２４が形成されている。
【００１８】
上記のように構成される小型ジャッキは、図２に示すようにすべての部品を組合せて使用する場合のほか、台座１９とアタッチメント１７のいずれか一方又は両方を使用しない場合もある。図３は支持対象物２２の基準となる支持面が山形に突出した面であるため、アタッチメント１７を使用しない場合の例を示し、図４は逆に支持対象物２３の支持面に凹凸があるため、円錐形のアタッチメント１７を使用して支持している場合を示している。
【００１９】
【発明の効果】
以上のように構成される本発明の構成によれば、以下のような効果を奏するものである。
（１）ジャッキ使用時に本体部側の嵌合孔に対し、昇降ボルトの嵌合軸部が嵌合しているので、本体部に対する昇降ボルトの軸振れの発生がなく、支持が安定するとともにレベリングや芯出し等を正確に行うことができる。
【００２０】
（２）台座によるジャッキの高さ調節を行うことができるほか、ジャッキの安定性が増し安全性及び支持の正確性が確保できる。
【００２１】
（３）アタッチメントの採用不採用により多様な支持面を持つ支持対象物に対応でき、昇降ボルトのガイド孔や台座の気抜孔は本体部やアタッチメントの嵌合を容易にするとともに嵌合部の嵌め合い公差を少なくし、ジャッキ全体の軸振れの防止を図ることができる。
【図面の簡単な説明】
【図１】本発明の部品の構成を示す斜視図である。
【図２】本発明品の組立状態を示す断面図である。
【図３】本発明品の使用形態の正面図である。
【図４】本発明品の他の使用形態の正面図である。
【符号の説明】
１      本体部
２      昇降ボルト
３      ねじ孔
４      嵌合孔
７      ねじ部
９      嵌合軸部
１１    スパナ掛け（回動係止部）
１４    ヘッド
１６    ガイド孔
１７    アタッチメント
１７ａ  アタッチメントヘッド
１７ｂ  ガイドピン
１８    挿入孔
１９    台座
２１    気抜孔
【図１】
2004155524.tif 000003
【図２】
2004155524.tif 000004
【図３】
2004155524.tif 000005
【図４】
2004155524.tif 000006